(57)【要約】【課題】ドライバの高精度化や、デコーダの回路規模の増加を招くことなく、表示可能色数を増加させることのできる液晶表示制御装置を得る。【解決手段】グレー画像データ生成部３４により、液晶表示パネルによって表示可能なグレーの画像データを生成し、セレクタ３５により、レシーバ３１を介してフレーム毎に順次受信されたカラー画像データの各フレームの時間軸上の直前又は直後に、生成したグレーの画像データをフレーム画像として挿入する一方、フレーム倍速化部３６により、前記液晶表示パネルに対するフレーム・レートを倍速化する。【選択図】図２
2008242290.tif 000002
【特許請求の範囲】
【請求項１】
液晶表示パネルによって表示するカラー画像を示すカラー画像データをフレーム毎に順次受信する受信手段と、
前記液晶表示パネルによって表示可能なグレーの画像データを生成する生成手段と、
前記受信手段によってフレーム毎に順次受信されたカラー画像データの各フレームの時間軸上の直前又は直後に、前記生成手段によって生成されたグレーの画像データをフレーム画像として挿入する挿入手段と、
前記液晶表示パネルに対するフレーム・レートを倍速化する倍速化手段と、
を備えた液晶表示制御装置。
【請求項２】
前記生成手段は、前記挿入手段によって挿入される時間軸上の位置の隣接するフレームのカラー画像データに基づいて前記グレーの画像データを生成する
請求項１記載の液晶表示制御装置。
【請求項３】
前記生成手段は、前記グレーの画像データを前記カラー画像データの各画素値に対応するものとして生成するか、又は前記カラー画像データのフレーム毎に同一の値となるように生成する
請求項１又は請求項２記載の液晶表示制御装置。
【請求項４】
前記生成手段は、前記カラー画像データのフレーム間に挿入されるグレーの画像データを生成する場合、時間軸上の直前のフレームのカラー画像データの輝度と、直後のフレームのカラー画像データの輝度との間の輝度を示すものとして生成する
請求項１から請求項３の何れか１項記載の液晶表示制御装置。
【請求項５】
前記グレーの画像データは、１画素において、Ｒ，Ｇ，Ｂが同じ値であることを特徴とする請求項１から請求項４の何れか１項記載の液晶表示制御装置。
【請求項６】
前記グレーの画像データは、複数の階調を有することを特徴とする請求項１から請求項５の何れか１項記載の液晶表示制御装置。
【発明の詳細な説明】
【技術分野】
【０００１】
本発明は、液晶表示制御装置に係り、特に、カラー画像を表示する液晶表示パネルを制御する液晶表示制御装置に関する。
【背景技術】
【０００２】
液晶表示装置では、一般に、１画素（ピクセル）をＲ（赤），Ｇ（緑），Ｂ（青）の３原色のサブ・ピクセルで構成し、全ての表示色を表現している。この情報は、グラフィック・プロセッサにおいて輝度信号と色差信号によりＲ，Ｇ，Ｂの階調（明暗）信号に変換され、タイミング・コントローラ（以下、「Ｔ−ＣＯＮ」ともいう。）に送信される。Ｔ−ＣＯＮは、受信した階調信号を液晶表示パネルが表示できるように並び替えを行い、当該液晶表示パネル上に配置された液晶表示パネル駆動用のドライバに転送する。なお、Ｔ−ＣＯＮでは、液晶表示パネルによる表示に必要な他のデータの生成も行う。
【０００３】
この種の液晶表示装置に関する技術として、特許文献１には、液晶表示装置で表示される画像を、より自然に表示可能にすることを目的として、４色のサブ・ピクセルを備える液晶パネルと、前記各サブ・ピクセルにビデオデータ信号を提供するデータドライバと、前記サブ・ピクセルにスキャン・パルスを提供するゲートドライバと、外部から入力される３色ソースデータから無彩色信号及び彩色信号の割合を分析してゲイン値を生成し、生成したゲイン値を用いて前記３色ソースデータを４色データに変換するデータ変換部と、前記データ変換部からの前記４色データを前記データドライバに提供すると共に、前記ゲートドライバ及び前記データドライバを制御するタイミング・コントローラ（Ｔ−ＣＯＮ）と、を備える技術が開示されている。
【０００４】
また、特許文献２には、液晶表示パネルによる動画像の表示画質を向上させることを目的として、液晶表示パネルの画面輝度の時間軸上での変動を抑制するように、表示すべき画像信号と黒表示信号とを１フレーム周期で液晶表示パネルに書き込む技術が開示されている。
【特許文献１】特開２００６−３１７８９９号公報
【特許文献２】特開２００４−２３３９３２号公報
【発明の開示】
【発明が解決しようとする課題】
【０００５】
ところで、一般に、液晶表示パネルで表示できる色の数は、Ｒ，Ｇ，Ｂ各々のサブ・ピクセルにおける階調レベルがどれだけあるかによって決定される。すなわち、例えば、サブ・ピクセルが６ビット構成のものであれば６４階調レベルとなり、Ｒ，Ｇ，Ｂの組み合わせから、６４の３乗（＝約２６万色）の色が表示可能となる。同様に、例えば、サブ・ピクセルが８ビット構成のものであれば２５６の３乗（＝約１６６７万色）の色が表示可能となる。
【０００６】
一方、上記ドライバの出力階調数は、テレビジョン受像機向けの場合、８ビット構成が一般的であり、この場合の表現できる色の数は２５６の３乗となるが、更に深い色調を再現するためには１０ビット構成（１０２４の３乗：約１０億色）等とする必要がある一方、デジタル・シネマでは、１２ビット構成（４０９６の３乗：約６８７億色）の色数とされている。
【０００７】
しかしながら、このようにサブ・ピクセルのビット数が大きくなると、次の問題も生じる。
ａ．ドライバの出力偏差が厳しくなる。
【０００８】
例えば、通常、液晶表示パネルに印加する電圧は１６Ｖ程度であるが、１階調当たりの電圧をリニアに分圧すると、例えば、サブ・ピクセルが８ビット構成（＝２５６階調）とされている場合は６２．５ｍＶであるが、１０ビット構成（＝１０２４階調）とされている場合では僅か約１５．６ｍＶとなり、非常に高精度の回路が必要となる。
ｂ．デコーダ（選択回路）の規模が膨大になる。
【０００９】
例えば、サブ・ピクセルが８ビット構成とされている場合は２５６レベルから１つの階調レベルを選択すればよいが、１０ビット構成とされている場合には１０２４レベルから選択することとなり、デコーダ回路の規模が４倍となってしまう。
【００１０】
このように、サブ・ピクセルのビット数を増加させることによって表現できる色の数を増加させることはできるが、これに伴ってドライバの出力偏差が厳しくなったり、デコーダの回路規模が大きくなったりしてしまう、という問題点があった。例えば、上記ビット数を２ビット増加させると、オフセット等の出力偏差は４分の１に低減しなければならない上、デコーダの規模は逆に４倍となり、コスト面や精度面の両方で、技術的な障壁が高くなってしまう。
【００１１】
なお、上記特許文献１に開示されている技術は、サブ・ピクセル数を増やすことによって、より自然な画像を表示することができるようにするものであり、上記特許文献２に開示されている技術は、表示すべき画像信号と黒表示信号とを１フレーム周期で液晶表示パネルに書き込むことによって、液晶表示パネルによる動画像の表示画質を向上させるものであり、これらの技術によって上記問題点を解消することはできない。
【００１２】
本発明は、上記問題点を解消するためになされたものであり、ドライバの高精度化や、デコーダの回路規模の増加を招くことなく、表示可能色数を増加させることのできる液晶表示制御装置を提供することを目的とする。
【課題を解決するための手段】
【００１３】
上記目的を達成するために、請求項１に記載の液晶表示制御装置は、液晶表示パネルによって表示するカラー画像を示すカラー画像データをフレーム毎に順次受信する受信手段と、前記液晶表示パネルによって表示可能なグレーの画像データを生成する生成手段と、前記受信手段によってフレーム毎に順次受信されたカラー画像データの各フレームの時間軸上の直前又は直後に、前記生成手段によって生成されたグレーの画像データをフレーム画像として挿入する挿入手段と、前記液晶表示パネルに対するフレーム・レートを倍速化する倍速化手段と、を備えている。
【００１４】
請求項１に記載の液晶表示制御装置によれば、液晶表示パネルによって表示するカラー画像を示すカラー画像データが受信手段によってフレーム毎に順次受信される一方、前記液晶表示パネルによって表示可能なグレーの画像データが生成手段によって生成される。なお、上記液晶表示パネルには、ＴＦＴ方式等のアクティブ・マトリクス方式のものや、ＳＴＮ方式、ＤＳＴＮ方式等の単純マトリクス方式のもの等が含まれる。
【００１５】
ここで、請求項１に記載の発明では、挿入手段により、前記受信手段によってフレーム毎に順次受信されたカラー画像データの各フレームの時間軸上の直前又は直後に、前記生成手段によって生成されたグレーの画像データがフレーム画像として挿入される一方、前記液晶表示パネルに対するフレーム・レートが倍速化手段によって倍速化される。
【００１６】
このように、請求項１に記載の液晶表示制御装置によれば、液晶表示パネルによって表示可能なグレーの画像データを生成し、フレーム毎に順次受信されたカラー画像データの各フレームの時間軸上の直前又は直後に、生成したグレーの画像データをフレーム画像として挿入する一方、前記液晶表示パネルに対するフレーム・レートを倍速化しているので、ドライバの高精度化や、デコーダの回路規模の増加を招くことなく、表示可能色数を増加させることができる。
【００１７】
なお、本発明は、請求項２に記載の発明のように、前記生成手段が、前記挿入手段によって挿入される時間軸上の位置の隣接するフレームのカラー画像データに基づいて前記グレーの画像データを生成するものとしてもよい。これにより、より的確に表示可能色数を増加させることができる。
【００１８】
また、本発明は、請求項３に記載の発明のように、前記生成手段が、前記グレーの画像データを前記カラー画像データの各画素値に対応するものとして生成するか、又は前記カラー画像データのフレーム毎に同一の値となるように生成するものとしてもよい。これにより、前記グレーの画像データを前記カラー画像データの各画素値に対応するものとして生成する場合は、より的確に表示可能色数を増加させることができ、前記カラー画像データのフレーム毎に同一の値となるように生成する場合には、液晶表示パネルの視覚的な動画特性（動画像の表示画質）を、より向上させることができる。
【００１９】
更に、本発明は、請求項４に記載の発明のように、前記生成手段が、前記カラー画像データのフレーム間に挿入されるグレーの画像データを生成する場合、時間軸上の直前のフレームのカラー画像データの輝度と、直後のフレームのカラー画像データの輝度との間の輝度を示すものとして生成するものとしてもよい。これにより、液晶表示パネルの視覚的な動画特性を、より向上させることができる。
【発明の効果】
【００２０】
本発明によれば、液晶表示パネルによって表示可能なグレーの画像データを生成し、フレーム毎に順次受信されたカラー画像データの各フレームの時間軸上の直前又は直後に、生成したグレーの画像データをフレーム画像として挿入する一方、前記液晶表示パネルに対するフレーム・レートを倍速化しているので、ドライバの高精度化や、デコーダの回路規模の増加を招くことなく、表示可能色数を増加させることができる、という効果が得られる。
【発明を実施するための最良の形態】
【００２１】
以下、図面を参照して本発明の実施の形態を詳細に説明する。
【００２２】
まず、図１を参照して、本発明が適用された、本実施の形態に係る液晶表示装置１０の構成を説明する。
【００２３】
同図に示されるように、液晶表示装置１０は、複数の画素により画像を表示する液晶表示パネル５０を備えている。なお、本実施の形態に係る液晶表示パネル５０は、ＴＦＴ方式等のアクティブ・マトリクス方式のものとされているが、これに限らず、ＳＴＮ方式、ＤＳＴＮ方式等の単純マトリクス方式等の他の方式の液晶表示パネルを適用することもできる。
【００２４】
また、液晶表示装置１０は、液晶表示パネル５０によって表示すべき画像を示す画像データであり、画素毎にＲ，Ｇ，Ｂの３原色の画素データ（サブ・ピクセル）により構成されたカラー画像データを生成するグラフィック・プロセッサ２０を備えている。なお、本実施の形態に係るグラフィック・プロセッサ２０は、生成した画像データをシリアルに送信するものとされている。
【００２５】
また、液晶表示装置１０は、グラフィック・プロセッサ２０の上記カラー画像データを送信する出力端子に入力端子が接続されたタイミング・コントローラ（Ｔ−ＣＯＮ）３０を備えている。なお、本実施の形態に係るＴ−ＣＯＮ３０は、グラフィック・プロセッサ２０から受信したカラー画像データを液晶表示パネル５０によって表示できる並び順に変換する。また、Ｔ−ＣＯＮ３０は、液晶表示パネル５０によって表示できる並び順に変換された画像データ（以下、「変換画像データ」という。）に基づいて、液晶表示パネル５０によって表示可能なグレーの画像データを生成し、変換画像データの各フレームの時間軸上の直後に挿入することにより、液晶表示パネル５０による表示色の数を増加させる機能（以下、「表示色数増加機能」という。）も有している。なお、このように、本実施の形態に係るＴ−ＣＯＮ３０は、グレーの画像データを変換画像データの各フレームの時間軸上の直後に挿入するものとされているが、これに限らず、変換画像データの各フレームの時間軸上の直前に挿入するものとすることもできる。
【００２６】
その他、Ｔ−ＣＯＮ３０は、液晶表示パネル５０による表示に必要な他のデータの生成も行う。
【００２７】
一方、液晶表示装置１０は、Ｔ−ＣＯＮ３０の上記グレーの画像データが挿入された変換画像データ（以下、「グレー画像付き変換画像データ」という。）を送信する出力端子に入力端子が接続されたドライバ４０を備えている。なお、本実施の形態に係るドライバ４０は、Ｔ−ＣＯＮ３０から受信したグレー画像付き変換画像データを用いて、当該画像データにより示される画像を表示するように液晶表示パネル５０を駆動させる。
【００２８】
次に、図２を参照して、本実施の形態に係るＴ−ＣＯＮ３０の表示色数増加機能に関する部分の構成を説明する。
【００２９】
同図に示されるように、Ｔ−ＣＯＮ３０は、グラフィック・プロセッサ２０の上記カラー画像データを送信する出力端子に入力端子が接続されたレシーバ３１を備えている。なお、本実施の形態に係るレシーバ３１は、グラフィック・プロセッサ２０からＬＶＤＳ（Low Voltage Differential Signaling）方式にて送信されてきた画像データをロジック電圧レベルまで昇圧する。
【００３０】
また、Ｔ−ＣＯＮ３０は、レシーバ３１の昇圧後のカラー画像データを出力する出力端子に入力端子が接続されたメモリ３２を備えている。なお、本実施の形態に係るメモリ３２は、グラフィック・プロセッサ２０からレシーバ３１を介して受信したカラー画像データを１フレーム分、一時的かつ順次に記憶する。なお、本実施の形態に係るＴ−ＣＯＮ３０では、メモリ３２としてＶ−ＲＡＭ（Video RAM）を適用しているが、これに限らず、他の書き換え可能な半導体メモリを適用することもできる。
【００３１】
また、Ｔ−ＣＯＮ３０は、レシーバ３１の昇圧後のカラー画像データを出力する出力端子に一方の入力端子が接続され、メモリ３２の記憶データを出力する出力端子に他方の入力端子が接続された、２入力１出力の比較部３３を備えている。なお、本実施の形態に係る比較部３３は、メモリ３２に記憶されたカラー画像データと、時間軸上の次のフレームのカラー画像データとをフレーム単位で画素毎に比較し、対応する画素を構成するＲ，Ｇ，Ｂの各サブ・ピクセルの輝度の平均値を示す情報（以下、「平均値情報」という。）を出力する。
【００３２】
また、Ｔ−ＣＯＮ３０は、比較部３３の平均値情報を出力する出力端子に入力端子が接続されたグレー画像データ生成部３４を備えている。なお、本実施の形態に係るグレー画像データ生成部３４は、比較部３３から入力された平均値情報に基づいて、当該平均値情報により示される輝度となるグレーの画像データ（Ｒ，Ｇ，Ｂの各サブ・ピクセルとも、対応する画素の上記平均値情報により示される同一の輝度となる画像データ）を生成する。
【００３３】
また、Ｔ−ＣＯＮ３０は、レシーバ３１の昇圧後のカラー画像データを出力する出力端子に一方の入力端子が接続され、グレー画像データ生成部３４のグレーの画像データを出力する出力端子に他方の入力端子が接続された、２入力１出力のセレクタ３５を備えている。なお、本実施の形態に係るセレクタ３５は、グラフィック・プロセッサ２０から受信されたカラー画像データと、グレー画像データ生成部３４から入力されたグレーの画像データを、１フレームずつ交互に出力する。
【００３４】
更に、Ｔ−ＣＯＮ３０は、セレクタ３５の出力端子に入力端子が接続されると共に、後述するトランスミッタを介してドライバ４０に出力端子が接続されたフレーム倍速化部３６を備えている。なお、本実施の形態に係るフレーム倍速化部３６は、セレクタ３５から順次入力される各画像データの液晶表示パネル５０に対する転送レート（フレーム・レート）を２倍に上げる。
【００３５】
なお、Ｔ−ＣＯＮ３０には、以上の表示色数増加機能に関する構成要素の他に、レシーバ３１によって昇圧されたカラー画像データを液晶表示パネル５０によって表示できる並び順に変換するシリアル／パラレル変換部、グレーの画像データが挿入された変換画像データを、ＲＳＤＳ（Reduced Swing Differential Signaling）方式やｍｉｎｉ−ＬＶＤＳ方式等のドライバ４０が受信できるフォーマットに変換してドライバ４０に送信するトランスミッタ等の他の構成要素が備えられているが、これらについての詳細な説明は省略する。
【００３６】
次に、図３を参照して、表示色数増加機能を実行する際のＴ−ＣＯＮ３０の作用を説明する。なお、図３は、このとき、Ｔ−ＣＯＮ３０で実行される処理の流れを示すフローチャートである。また、ここでは、錯綜を回避するために、上記シリアル／パラレル変換部、トランスミッタ等の表示色数増加機能には直接関係しない部位に関する作用の説明は極力省略する。
【００３７】
まず、同図のステップ１００では、グラフィック・プロセッサ２０からのレシーバ３１を介した画像データの受信開始待ちを行い、次のステップ１０２では、フレーム倍速化部３６に対して作動の開始を指示する。これに応じて、フレーム倍速化部３６は、フレーム・レートを２倍とする処理の実行を開始する。
【００３８】
これ以降、グラフィック・プロセッサ２０から順次連続的に受信するカラー画像データは、レシーバ３１を介してフレーム毎にセレクタ３５の一方の入力端子に入力されると共に、メモリ３２及び比較部３３に入力される。そして、比較部３３では、前述したように、メモリ３２に記憶されたカラー画像データと、時間軸上の次のフレームのカラー画像データとをフレーム単位で画素毎に比較し、対応する画素を構成するＲ，Ｇ，Ｂの各サブ・ピクセルの輝度の平均値を示す平均値情報をグレー画像データ生成部３４に順次出力する。そして、グレー画像データ生成部３４では、比較部３３から順次入力される平均値情報に基づいて、当該平均値情報により示される輝度となるグレーの画像データを生成してセレクタ３５の他方の入力端子に順次出力する。
【００３９】
そこで、次のステップ１０４では、セレクタ３５を、カラー画像データを出力するように切り替え、次のステップ１０６にて、１フレーム分のカラー画像データの出力が終了されるまで待機した後、次のステップ１０８では、セレクタ３５を、グレーの画像データを出力するように切り替え、次のステップ１１０にて、１フレーム分のグレーの画像データの出力が終了されるまで待機する。
【００４０】
次のステップ１１２では、グラフィック・プロセッサ２０からのカラー画像データの受信が終了したか否かを判定し、否定判定となった場合は上記ステップ１０４に戻り、肯定判定となった時点でステップ１１４に移行して、フレーム倍速化部３６に対し作動の停止を指示した後に本処理を終了する。
【００４１】
以上の処理により、一例として図４に模式的に示されるように、カラー画像データとグレーの画像データが交互かつ連続的に不図示のドライバに入力され、液晶表示パネル５０により通常の２倍のフレーム・レートで連続的に表示されるカラー画像とグレー画像が残像現象によって融合したように視認される結果、サブ・ピクセルを１つ増加させたことと同様の効果を得ることができる。
【００４２】
すなわち、一例として図５の液晶表示パネルのＶＴ特性（Ｖ：入力電圧、Ｔ：透過率）で示されるように、カラー画像データに対してグレー画像をフレーム毎に交互に挿入することにより、離散値として与えられる１つの入力電圧により、当該入力電圧に応じた透過率に加えて、見かけ上、中間的な透過率とすることと同様の効果を得ることができ、この結果として、サブ・ピクセルを１つ増加させたことと同様の効果を得ることができる。
【００４３】
以上詳細に説明したように、本実施の形態によれば、液晶表示パネルによって表示可能なグレーの画像データを生成し、フレーム毎に順次受信されたカラー画像データの各フレームの時間軸上の直前又は直後に、生成したグレーの画像データをフレーム画像として挿入する一方、前記液晶表示パネルに対するフレーム・レートを倍速化しているので、ドライバの高精度化や、デコーダの回路規模の増加を招くことなく、表示可能色数を増加させることができる。
【００４４】
また、本実施の形態によれば、挿入される時間軸上の位置の隣接するフレームのカラー画像データに基づいて前記グレーの画像データを生成しているので、より的確に表示可能色数を増加させることができる。
【００４５】
また、本実施の形態によれば、グレーの画像データをカラー画像データの各画素値に対応するものとして生成しているので、より的確に表示可能色数を増加させることができる。
【００４６】
更に、本実施の形態によれば、時間軸上の直前のフレームのカラー画像データの輝度と、直後のフレームのカラー画像データの輝度との間の輝度を示すものとしてグレーの画像データを生成しているので、液晶表示パネルの視覚的な動画特性を、より向上させることができる。
【００４７】
以上、本発明を実施の形態を用いて説明したが、本発明の技術的範囲は上記実施の形態に記載の範囲には限定されない。発明の要旨を逸脱しない範囲で上記実施の形態に多様な変更または改良を加えることができ、当該変更または改良を加えた形態も本発明の技術的範囲に含まれる。
【００４８】
また、上記の実施の形態は、クレーム（請求項）にかかる発明を限定するものではなく、また実施の形態の中で説明されている特徴の組合せの全てが発明の解決手段に必須であるとは限らない。前述した実施の形態には種々の段階の発明が含まれており、開示される複数の構成要件における適宜の組み合せにより種々の発明を抽出できる。実施の形態に示される全構成要件から幾つかの構成要件が削除されても、効果が得られる限りにおいて、この幾つかの構成要件が削除された構成が発明として抽出され得る。
【００４９】
例えば、上記実施の形態では、表示色数増加機能を実現する処理を主としてハードウェアの構成によって実現した場合について説明したが、本発明はこれに限定されるものではなく、例えば、当該処理をソフトウェア構成により実現する形態とすることもできる。この場合の形態例としては、例えば、図２に示した各部の処理をコンピュータにより実行可能なプログラムにより実行するようにする形態を例示することができる。この場合は、上記実施の形態に比較して、液晶表示制御装置の低コスト化が期待できる。
【００５０】
また、上記実施の形態では、Ｔ−ＣＯＮ３０において、不図示のシリアル／パラレル変換部による変換後のカラー画像データに対してグレーの画像データを挿入する場合について説明したが、本発明はこれに限定されるものではなく、シリアル／パラレル変換部による変換前のカラー画像データに対してグレーの画像データを挿入する形態とすることもできる。この場合も、上記実施の形態と同様の効果を奏することができる。
【００５１】
また、上記実施の形態では、グレーの画像データを、その輝度が挿入する位置の前後のフレームの対応する画素のサブ・ピクセルの輝度の平均値となるように生成する場合について説明したが、本発明はこれに限定されるものではなく、他の輝度となるようにグレーの画像データを生成する形態とすることもできる。要は、液晶表示パネルにおいて表示されたときの視認される色のバリエーションが増加されるものであれば、如何なる輝度のグレー画像でも適用することができる。例えば、８ビットのＲ，Ｇ，Ｂのそれぞれのカラー画像データに加えて、３ビットの階調を有するグレー画像データを用いて制御する場合には、１６００万色から１億３０００万色の表示が可能となる。
【００５２】
また、上記実施の形態では、カラー画像データの画素毎にグレーの画像データを生成する場合について説明したが、本発明はこれに限定されるものではなく、カラー画像のフレーム毎にフレーム画像全体が同一の輝度となるようにグレーの画像データを生成する形態とすることもできる。この場合、上記実施の形態に比較して、液晶表示パネルの視覚的な動画特性（動画像の表示画質）を、より向上させることができる。
【００５３】
また、上記実施の形態では、表示色数増加機能をＴ−ＣＯＮ３０に設けた場合について説明したが、本発明はこれに限定されるものではなく、例えば、グラフィック・プロセッサ２０、ドライバ４０等の他の部位に設ける形態とすることもできる。この場合も、上記実施の形態と同様の効果を奏することができる。
【００５４】
その他、上記実施の形態で説明した液晶表示装置１０の構成（図１及び図２参照。）は一例であり、本発明の主旨を逸脱しない範囲内において不要な部分を削除したり、新たな部分を追加したりすることができることは言うまでもない。
【００５５】
更に、上記実施の形態で説明したＴ−ＣＯＮ３０により実行される処理の流れ（図３参照。）も一例であり、本発明の主旨を逸脱しない範囲内において不要なステップを削除したり、新たなステップを追加したり、処理順序を入れ替えたりすることができることは言うまでもない。
【図面の簡単な説明】
【００５６】
【図１】実施の形態に係る液晶表示装置の全体構成を示すブロック図である。
【図２】実施の形態に係るタイミング・コントローラの表示色数増加機能に関する部分の構成を示すブロック図である。
【図３】実施の形態に係るタイミング・コントローラで実行される処理の流れを示すフローチャートである。
【図４】実施の形態に係る表示色数増加機能の説明に供する模式図である。
【図５】実施の形態に係る表示色数増加機能による効果の説明に供する、液晶表示パネルのＶＴ特性の一例を示すグラフである。
【符号の説明】
【００５７】
１０    液晶表示装置
２０    グラフィック・プロセッサ
３０    タイミング・コントローラ
３１    レシーバ（受信手段）
３２    メモリ
３３    比較部（生成手段）
３４    グレー画像データ生成部（生成手段）
３５    セレクタ（挿入手段）
３６    フレーム倍速化部（倍速化手段）
４０    ドライバ
５０    液晶表示パネル
【図１】
2008242290.tif 000003
【図２】
2008242290.tif 000004
【図３】
2008242290.tif 000005
【図４】
2008242290.tif 000006
【図５】
2008242290.tif 000007